(57)【要約】【課題】本発明は折り畳み筒体を備え、持ち運びが容易でスペースを節減し、低コストのシュレッダー用細断物収容箱構造を提供する。【解決手段】筒状のシュレッダー用細断物収容箱構造であって、両端が開口された筒体壁部１と、開口の一つである一端側に着脱可能に取付けられるベースプレート２とを備え、筒体壁部１が両端開口部を重ねた状態に折畳み可能な構造であることを特徴とする。【選択図】図１
2008207058.tif 000002
【特許請求の範囲】
【請求項１】
筒状のシュレッダー用細断物収容箱構造であって、両端が開口された筒体壁部と、前記開口の一つである一端側に着脱可能に取付けられるベースプレートとを備え、
前記筒体壁部が前記両端開口部を重ねた状態に折畳み可能な構造であることを特徴とするシュレッダー用細断物収容箱構造。
【請求項２】
前記筒体壁部は、少なくとも布、皮革、プラスチックまたは軽金属のいずれか一つで形成されてなる網布の種類に属するものであることを特徴とする請求項１に記載のシュレッダー用細断物収容箱構造。
【請求項３】
書類細断機構を内蔵している書類細断機ヘッドに着脱可能に装着させるための装着用フレームが、前記筒体壁部の他端側開口の端部に着脱可能に取付けられると共に、前記筒体壁部の内壁の周辺に所定間隔で複数の支持ポールを配置し、該支持ポールはその一端が前記装着用フレームに着脱可能に取付けられ、他端が前記ベースプレートに当接してなることを特徴とする請求項１または２に記載のシュレッダー用細断物収容箱構造。
【請求項４】
前記支持ポールの一端に水平差込ほぞを設けると共に、前記装着用フレームに水平差込ほぞ穴を前記水平差込ほぞに対応する位置に設け、あるいは前記装着用フレームの一端に水平差込ほぞ設けると共に前記支持ポールに水平差込ほぞ穴を前記水平差込ほぞに対応する位置に設け、前記水平差込ほぞと前記水平差込ほぞ穴とが着脱可能に係合することを特徴とする請求項３に記載のシュレッダー用細断物収容箱構造。
【請求項５】
前記支持ポールの一端に垂直挿入ほぞを設けると共に、前記装着用フレームに垂直挿入ほぞ穴を前記垂直挿入ほぞに対応する位置に設け、あるいは前記装着用フレームの一端に垂直挿入ほぞ設けると共に前記支持ポールに垂直挿入ほぞ穴を前記垂直挿入ほぞに対応する位置に設け、前記垂直挿入ほぞと前記垂直挿入ほぞ穴とが着脱可能に係合することを特徴とする請求項３に記載のシュレッダー用細断物収容箱構造。
【請求項６】
前記装着用フレームは、前記筒体壁部の他端側開口部の端部に環装された開口端フレームを介して前記端部に着脱可能に取付けられてなることを特徴とする請求項３乃至５のいずれか一項に記載のシュレッダー用細断物収容箱構造。
【請求項７】
前記ベースプレート及び前記筒体壁部の一端側は、一方に舌片が他方にクランプがそれぞれ相互に対応する位置に所定間隔で複数個設けられることで、前記舌片と前記クランプとが係合して前記ベースプレートが前記筒体壁部の開口の一つである一端側に着脱可能に取付けられてなることを特徴とする請求項１乃至６のいずれか一項に記載のシュレッダー用細断物収容箱構造。
【請求項８】
先端がフック状の掛止部材が、前記各支持ポールまたは前記装着用フレームの少なくとも何れか一方に所定間隔位置に複数個設置されてなることを特徴とする請求項３乃至７のいずれか一項に記載のシュレッダー用細断物収容箱構造。
【請求項９】
筒状のシュレッダー用細断物収容箱構造であって、両端が開口された筒体壁部と、前記開口の一つである一端側に着脱可能に取付けられるベースプレートとを備え、
前記筒体壁部が折畳み線により筒体壁部単位に区分けされてなると共に、該折畳み線に沿って折畳み可能な構造であることを特徴とするシュレッダー用細断物収容箱構造。
【請求項１０】
前記筒体壁部単位は、その内側を支持プレートにより形成されると共に、該支持プレートを少なくとも布、皮革、プラスチックまたは軽金属のいずれか一つにより被覆されてなることを特徴とする請求項９に記載のシュレッダー用細断物収容箱構造。
【請求項１１】
前記支持プレートは、厚紙または硬質プラスチックにより形成されてなることを特徴とする請求項１０に記載のシュレッダー用細断物収容箱構造。
【請求項１２】
書類細断機構を内蔵している書類細断機ヘッドに着脱可能に装着させるための装着用フレームが、前記筒体壁部の他端側開口の端部に着脱可能に取付けられてなることを特徴とする請求項９乃至１１のいずれか一項に記載のシュレッダー用細断物収容箱構造。
【請求項１３】
前記装着用フレームにクリップフックが所定間隔で配置されると共に、前記クリップフックが着脱可能に係合するクリップ穴が前記筒体壁部の他端側の対応する所定間隔位置に配置されてなることを特徴とする請求項１２に記載のシュレッダー用細断物収容箱構造。
【請求項１４】
先端がフック状の掛止部材が、前記装着用フレームの内側に複数個所定間隔で設置されてなることを特徴とする請求項１２または１３に記載のシュレッダー用細断物収容箱構造。
【請求項１５】
請求項３乃至８または請求項１２乃至１４のいずれか一項に記載のシュレッダー用細断物収容箱構造の装着用プレートの上部にスライドレールが取付けれられたシュレッダー用細断物収容箱と、
前記スライドレールに対応するスライドレール溝が底部に設けられた、書類細断機構を内蔵している書類細断機ヘッドとを備えてなるシュレッダーであって、
前記スライドレールを前記スライドレール溝に着脱可能に係合することで、前記シュレッダー用細断物収容箱が前記書類細断機ヘッドに着脱可能に取付けられることを特徴とするシュレッダー。
【発明の詳細な説明】
【技術分野】
【０００１】
本発明は事務機器分野に関し、特にオフィス書類細断機であるシュレッダーに関すると共に、書類細断機用細断物収容箱構造の詳細に関するものである。
【背景技術】
【０００２】
種々の事務オートメーション機器は現代生活においてますます普及化されており、その最も一般的なものが書類細断機、すなわちシュレッダーである。
【０００３】
このシュレッダーについては、細断機能の向上や細断屑の収容力向上を図ったもの、さらには細断屑処理の利便性の向上を図ったものが提案されている（例えば、特許文献１参照）。
【０００４】
しかしながらシュレッダーや細断物収容箱については、その機能向上を目的とするものの提案が殆どであり、ましてや細断物収容箱の省スペース化を目的とするものは知られていない。
【０００５】
また現在市販されている書類細断機用細断物収容箱は、ブラスチック筒体または金属筒体であり、重量が重いだけでなく、持ち運びや輸送が容易でなく、従って輸送スペースとコストが増加し、パーソナルコンピュータなどの情報通信機器を利用して、小さなオフィスや自宅などでビジネスを行う事業者（Small Office/Home Office（スモールオフィス・ホームオフィス））（以下、本明細書において「SOHO」と表すことがある）による使用や、家庭での使用に適していない。
【特許文献１】特開２００１−１２１０１０号公報
【発明の開示】
【発明が解決しようとする課題】
【０００６】
本発明の目的は、上述した欠点を解消し、折り畳み筒体を備え、持ち運びが容易でスペースを節減し、低コストのシュレッダー用細断物収容箱構造とこの収容箱を備えたシュレッダーを提供することである。
【課題を解決するための手段】
【０００７】
上記目的を達成するために、本発明による書類細断機用細断物収容箱構造は、次のような構成になっている。
【０００８】
すなわち、筒状のシュレッダー用細断物収容箱構造は、両端が開口された筒体壁部と、前記開口の一つである一端側に着脱可能に取付けられるベースプレートとを備え、前記筒体壁部が前記両端開口部を重ねた状態に折畳み可能な構造であることを特徴とする。
【０００９】
前記筒体壁部は、少なくとも布、皮革、プラスチックまたは軽金属のいずれか一つで形成されてなる網布の種類に属するものとすることができる。
【００１０】
また書類細断機構を内蔵している書類細断機ヘッドに着脱可能に装着させるための装着用フレームが、前記筒体壁部の他端側開口の端部に着脱可能に取付けられると共に、前記筒体壁部の内壁の周辺に所定間隔で複数の支持ポールを配置し、該支持ポールはその一端が前記装着用フレームに着脱可能に取付けられ、他端が前記ベースプレートに当接してなることとすることができる。
【００１１】
さらに前記支持ポールの一端に水平差込ほぞを設けると共に、前記装着用フレームに水平差込ほぞ穴を前記水平差込ほぞに対応する位置に設け、あるいは前記装着用フレームの一端に水平差込ほぞ設けると共に前記支持ポールに水平差込ほぞ穴を前記水平差込ほぞに対応する位置に設け、前記水平差込ほぞと前記水平差込ほぞ穴とが着脱可能に係合するものとすることができる。
【００１２】
または前記支持ポールの一端に垂直挿入ほぞを設けると共に、前記装着用フレームに垂直挿入ほぞ穴を前記垂直挿入ほぞに対応する位置に設け、あるいは前記装着用フレームの一端に垂直挿入ほぞ設けると共に前記支持ポールに垂直挿入ほぞ穴を前記垂直挿入ほぞに対応する位置に設け、前記垂直挿入ほぞと前記垂直挿入ほぞ穴とが着脱可能に係合するものとすることができる。
【００１３】
そして前記装着用フレームは、前記筒体壁部の他端側開口部の端部に環装された開口端フレームを介して前記端部に着脱可能に取付けられてなるものとすることができる。
【００１４】
前記ベースプレート及び前記筒体壁部の一端側は、一方に舌片が他方にクランプがそれぞれ相互に対応する位置に所定間隔で複数個設けられることで、前記舌片と前記クランプとが係合して前記ベースプレートが前記筒体壁部の開口の一つである一端側に着脱可能に取付けられてなることとすることができる。
【００１５】
また先端がフック状の掛止部材が、前記各支持ポールまたは前記装着用フレームの少なくとも何れか一方に所定間隔位置に複数個設置されてなることとすることができる。
【００１６】
さらにまた本発明が提案する筒状のシュレッダー用細断物収容箱構造は、両端が開口された筒体壁部と、前記開口の一つである一端側に着脱可能に取付けられるベースプレートとを備え、前記筒体壁部が折畳み線により筒体壁部単位に区分けされてなると共に、該折畳み線に沿って折畳み可能な構造であることを特徴とする。
【００１７】
また前記筒体壁部単位は、その内側を支持プレートにより形成されると共に、該支持プレートを少なくとも布、皮革、プラスチックまたは軽金属のいずれか一つにより被覆されてなることとすることができる。
【００１８】
また前記支持プレートは、厚紙または硬質プラスチックにより形成されてなることとすることができる。
【００１９】
また書類細断機構を内蔵している書類細断機ヘッドに着脱可能に装着させるための装着用フレームが、前記筒体壁部の他端側開口の端部に着脱可能に取付けられてなることとすることができる。
【００２０】
さらにまた前記装着用フレームにクリップフックが所定間隔で配置されると共に、前記クリップフックが着脱可能に係合するクリップ穴が前記筒体壁部の他端側の対応する所定間隔位置に配置されてなることとすることができる。
【００２１】
また先端がフック状の掛止部材が、前記装着用フレームの内側に複数個所定間隔で設置されてなることとすることができる。
【００２２】
さらに本発明が提案するものは、上記したシュレッダー用細断物収容箱構造の装着用プレートの上部にスライドレールが取付けれられたシュレッダー用細断物収容箱と、前記スライドレールに対応するスライドレール溝が底部に設けられた、書類細断機構を内蔵している書類細断機ヘッドとを備えてなるシュレッダーであって、前記スライドレールを前記スライドレール溝に着脱可能に係合することで、前記シュレッダー用細断物収容箱が前記書類細断機ヘッドに着脱可能に取付けられることを特徴とするシュレッダーである。
【発明の効果】
【００２３】
このシュレッダー用細断物収容箱構造では、筒体壁が少なくとも布、皮革、プラスチックまたはライトメタルのいずれか一つであるので、輸送と保管の過程で、分解することが可能である。そして筒体壁は折り畳み可能であるため、ユーティリティスペースを節減するためにボリュームを縮小することができ、容易に折り畳むことができ、さらに単純構造であり、通常の使い方に見合うように操作が行ないやすく、その重量は従来のプラスチック筒体や金属筒体よりも軽量化されているので、持ち運びと運搬が容易であり、輸送スペースと製造および輸送コストを低減することができ、応用範囲が幅広く、特にＳＯＨＯメンバや家庭での使用に適し、日常の作業や生活での便宜性を大幅に向上する効果がある。
【発明を実施するための最良の形態】
【００２４】
以下、本発明を実施するための最良の形態としての実施例について、添付図面を参照して説明する。
【実施例１】
【００２５】
図１乃至図８は、本発明の第１の実施例を示す図であり、詳しくは図１は本発明の第１実施例によるベースプレートと筒体壁部とを示す分解斜視図、図２は本発明の第１実施例による筒体壁部とその底部に取り付けられたベースプレートとを示す斜視図、図３は本発明の第１実施例による折り畳んだ後の筒体壁部を示す概略図、図４は本発明の第１実施例による筒体壁部に装着用フレームが取り付けられている筒体壁部を示す概略斜視図、図５は本発明の第１実施例による差込支持ポールの概略斜視図、図６は本発明の第１実施例による差込支持ポールが差込まれたシュレッダー用細断物収容箱構造を示す概略斜視図、図７は本発明の第１実施例による挿入支持ポールの概略斜視図、図８は本発明の第１実施例による挿入支持ポールが差込まれたシュレッダー用細断物収容箱構造を示す概略斜視図である。
【００２６】
図１に示すように、本実施例１のシュレッダー用細断物収容箱は、一端側を底板を取り付けて閉塞され、他端側を開口部とした筒体構造を有してなるものである。この筒体は折り畳み可能で両端を開口とする筒体壁部１と、筒体壁部１の一端側を閉塞すべく着脱可能に取り付けられる底板としてのベースプレート２を備えてなるものである。上記した筒体の折り畳みは、筒体壁部１をその両端開口部を重ねた状態に折り畳むことである。
【００２７】
筒体壁部１は、少なくとも布、皮革、プラスチックまたは軽金属の一以上からなる網布の種類に属するもので、この筒体壁部１が上記素材によりなるものであることから折畳み可能となっている。
【００２８】
ベースプレート２は、隅部を円弧とする長方形状であり、四隅に舌片２１が取付けられている。そして筒体壁部１の一端側の長方形状開口部の四隅には、舌辺２１と着脱可能に係合するクランプ１１が取付けられている。舌片２１とクランプ１１との係合は、例えば舌片２１の一部がクランプ１１の中に挿入されるような場合が該当する。なおベースプレート２にクランプ１１を取付け、筒体壁部１の一端側の長方形状開口部の四隅に舌片２１を設けて着脱可能に係合させてもよい。
【００２９】
図２は筒体壁部１の一端側に底板となるベースプレート２が取付けられた状態が示されている。ベースプレート２の舌片２１が、筒体壁部の一端側のクランプ１１と係合することでベースプレート２が筒体壁部１の一端側に取付けられ、この係合を解除することで筒体壁部１からベースプレート２を取り外すことができる。なお筒体壁部１の他端側の開口には、図１、図２に示すように、その端部に開口端フレーム１２が装着されている。
【００３０】
図３、図４に示すように筒体壁部１の端部に装着された開口端フレーム１２には、さらに装着用フレーム３が着脱可能に取付けられる。装着用フレーム３は、後述するように筒体壁部１とベースプレート２等を備えたシュレッダー用細断物収容箱を書類細断機ヘッドの下部に着脱可能に取り付けるためのものである。図３は装着用フレーム３が取付けられた筒体壁部１が折畳まれた状態の斜視図であり、図４は装着用フレーム３が取付けられた筒体壁部１を立ち上げた状態の斜視図である。
【００３１】
図５は支持ポールの一つである差込支持ポール４の斜視図である。差込支持ポール４は、上部に水平差込ほぞ４１が形成されており後述する装着用フレーム３のほぞ穴３１に係合するようになっている。差込支持ポール４は、断面が直角山形状のコーナー柱部材であり、筒体壁部１の四隅に配置されるものである。
【００３２】
図６に示すように、筒体壁部１の四隅に配置された差込支持ポール４の一端側である上端には装着用フレーム３が着脱可能に取付けられている。差込支持ポール４の上端に形成されている水平差込ほぞ４１が、装着用フレーム３に形成されている水平差込ほぞ穴３１に係合することで、差込支持ポール４が装着用フレーム３に取付けられ、係合解除により差込支持ポール４が装着用フレーム３より取り外されることになる。差込支持ポール４の他端側である下端は、ベースプレート２のコーナー側である四隅にそれぞれ当接されている。
【００３３】
なお装着用フレーム３に水平差込ほぞ４１を、差込支持ポール４に水平差込ほぞ穴３１をと、上記と逆に設けてもよい。
【００３４】
図７に示すように、支持ポールは一端側に垂直挿入ほぞ５１を有する挿入支持ポール５を上記した差込支持ポール４に替えることができる。この場合装着フレーム３には垂直挿入ほぞ５１に対応する位置に垂直挿入ほぞ穴が形成されることになる。
【００３５】
図８は、筒体壁部１のコーナー部分である四隅に挿入支持ポール５が配置されている状態を示している。挿入支持ポール５の上部には、装着プレート３と挿入支持ポール５とは着脱可能に取付けられている。装着プレート３と挿入支持ポール５の着脱は、差込支持ポール４と装着フレーム３との着脱と同様で、挿入支持ポール５の上端に位置する垂直挿入ほぞ５１と装着フレーム３に形成されてなる垂直挿入ほぞ穴との係合とこの係合の解除によってなされるものである。
【００３６】
なお装着用フレーム３に垂直挿入ほぞ５１を、挿入支持ポール５に垂直挿入ほぞ穴を、上記と逆に設けてもよい。
【００３７】
また先端がフック状の掛止部材（不図示）が、支持ポール（差込支持ポール４または挿入支持ポール５）または装着フレーム３に均等に分布した状態で取付けられている。この先端がフック状の掛止部材は、シュレッダー用細断物収容箱の利用者がごみ袋を吊り下げるためのものである。
【００３８】
次にこのシュレッダー用細断物収容箱構造の使用について説明する。折畳まれた状態の筒体壁部１を立ちあげ、一端側開口部にベースプレート２を取付ける。取付けはベースプレート２の四隅の舌片２１を、筒体壁部１の一端側開口部の四隅にある対応するクランプ１１に係合させることによりなされる。
【００３９】
装着用フレームの一組の対辺の上面にはスライドレール８１が取付けられており、書類細断機構を内蔵している書類細断機ヘッドの下側に設けられたスライドレール溝と係合して摺動可能となっている。
【００４０】
次に筒体壁部１の内部に支持ポール（差込支持ポール４または挿入支持ポール５）を取付ける。支持ポール下端はベースプレート２の四隅側に当接し、上端は装着用フレーム３と係合させることで、支持ポールが装着フレーム３と着脱可能に取付けられることになる。装着フレーム３と支持ポール（差込支持ポール４または挿入支持ポール５）との係合は、支持ポール側にほぞが設けられ（水平差込ほぞ４１または垂直挿入ほぞ５１）、装着フレーム３にはほぞ穴が設けられ（差込ほぞ穴、垂直挿入ほぞ穴）、それぞれ係合、係合解除によって支持ポールが装着フレーム３と着脱可能になっている。
【００４１】
書類細断機構を内蔵している書類細断機ヘッドと、シュレッダー用細断物収容箱とを、シュレッダーとして使用するときには、装着フレーム３の一組の対辺の上面に位置するスライドレール８１を、書類細断機構を内蔵している書類細断機ヘッドの下側に設けられたスライドレール溝と係合させる。これにより、シュレッダー用細断物収容箱が書類細断機ヘッドの下部で摺動可能となり、細断屑の取り出しが容易になる。
【００４２】
このように、本実施例のシュレッダー用細断物収容箱は、筒体壁が少なくとも布、皮革、プラスチックまたはライトメタルのいずれか一つである網布の種類に属するものであるから、簡単に折畳むことができ輸送運搬が容易となる。また組立ても上記構成であるから簡単にでき、使い勝手の良いものとなる。
【実施例２】
【００４３】
図９乃至図１１は本発明による第２実施例を示す図である。第２実施例の説明に際しては、第１実施例と相違する部分を中心に説明する。図９は本発明の第２実施例による折り畳んだ状態の筒体壁部と取り付け前のベースプレートとを示す分離斜視図、図１０は本発明の第２実施例による筒体壁部と装着用フレームを示す分離斜視図、図１１は本発明の第２実施による装着用フレームが取付けられた筒体壁部を示す斜視図である。
【００４４】
本実施例のシュレッダー用細断物収容箱構造は、一端側を底板として閉塞され、他端側を開口部とした筒体構造を有してなるものである。この筒体は折り畳み可能で両端を開口とする筒体壁部６と、筒体壁部６の一端側を閉塞すべく着脱可能に取り付けられる底板としてのベースプレート７を備えてなるものである。
【００４５】
図１０に示すように、筒体壁部６は、折畳み線６１により筒体壁部単位に区分けされてなると共に、図９に示すように折畳み線６１に沿って折畳み可能な構造となっている。この筒体壁部単位は、その内側を支持プレートにより形成されると共に、この支持プレートを少なくとも布、皮革、プラスチックまたは軽金属のいずれか一つにより被覆された状態になっている。そして支持プレート自体は、厚紙または硬質プラスチックにより形成されてなるものであり、上記したように折畳み線６１に沿って折畳み可能な構造となっている。
【００４６】
また図１０に示すように、筒体壁部６の上部の周辺には複数のクリップ穴６２が形成されており、装着用フレーム８の対応する位置にはクリップフック（不図示）が設けられ、このクリップフックとクリップ穴６２とが係合することで、装着用フレーム８と筒体壁部６とが着脱可能な構成になっている。
【００４７】
また装着用フレーム８の上面にはスライドレール８１が取付けられており、このスライドレール８１が、書類細断機構を内蔵している書類細断機ヘッドの下側に設けられたスライドレール溝と係合することで、書類細断機ヘッドにシュレッダー用細断物収容箱が着脱可能に取付けられることになる。
【００４８】
また実施例１と同様に、ごみ袋を吊り下げるための、先端がフック状の掛止部材（不図示）を筒体壁部１の内面側に複数個所定間隔で取付けられている。
【００４９】
次にこのシュレッダー用細断物収容箱構造の使用について説明する。
【００５０】
図９に示すように折畳み線６１に沿って折畳まれた筒体壁部６を組立て、一端側の開口部にベースプレート７を取付ける。そして
筒体壁部６の上部の周辺に形成されている複数のクリップ穴６２に、装着用フレーム８の対応する位置にあるクリップフック（不図示）を係合させて、装着用フレーム８を筒体壁部６に着脱可能に取付ける。
【００５１】
そして装着用フレーム８の上面に取付けてあるスライドレール８１を、書類細断機構を内蔵している書類細断機ヘッドの下側に設けられたスライドレール溝と係合させることにより、シュレッダー用細断物収容箱として使用する。
【００５２】
本実施例でのシュレッダー用細断物収容箱構造では、筒体壁部６は折り畳むことができるので、ユーティリティスペースを節減するためにボリュームを縮減することができ、折り畳みが容易であり、通常の使い方に見合うように単純構造で操作が行ないやすい。そしてその重量は従来のプラスチック筒体や金属筒体よりも軽量化され、持ち運びと運搬が容易であり、運搬スペースと製造および運搬コストを低減することができ、応用範囲が幅広く、特にＳＯＨＯメンバと家庭で使うのに適しており、日常の作業と生活での便宜性を向上している。
【００５３】
以上、本発明の好適実施例を参照して本発明を具体的に図示し、説明してきたが、当然に理解されるように、本発明の精神と範囲から逸脱しない限り、形体と細部において種々の変更を行なうことが可能である。従って、当然に理解されるように、これらの実施例は単なる例示であり、これらに限定されるものではない。
【図面の簡単な説明】
【００５４】
【図１】本発明の第１実施例によるベースプレートと、筒体壁部とを示す分解斜視図。
【図２】本発明の第１実施例による筒体壁部とその底部に取り付けられたベースプレートとを示す斜視図。
【図３】本発明の第１実施例による折り畳んだ後の筒体壁部を示す概略図。
【図４】本発明の第１実施例による筒体壁部に装着用フレームが取り付けられている筒体壁部を示す概略斜視図。
【図５】本発明の第１実施例による差込支持ポールの概略斜視図。
【図６】本発明の第１実施例による差込支持ポールが差込まれたシュレッダー用細断物収容箱構造を示す概略斜視図。
【図７】本発明の第１実施例による挿入支持ポールの概略斜視図。
【図８】本発明の第１実施例による挿入支持ポールが差込まれたシュレッダー用細断物収容箱構造を示す概略斜視図。
【図９】本発明の第２実施例によるシュレッダー用細断物収容箱の折り畳み状態にある筒体壁とベースフレームを示す分離斜視図。
【図１０】本発明の第２実施例による筒体壁部と装着用フレームを示す分離斜視図。
【図１１】本発明の第２実施による装着用フレームが取付けられた筒体壁部を示す斜視図。
【符号の説明】
【００５５】
１、６  筒体壁部
２、７  ベースプレート
３、８  装着用フレーム
４  差込支持ポール
５  挿入支持ポール
１２  開口端フレーム
２１  舌片
３１  差込ほぞ穴
３２  スライドレール
４１  水平差込ほぞ
５１  垂直挿入ほぞ
６１  折り畳み線
６２  クリップ穴
８１  スライドレール
【図１】
2008207058.tif 000003
【図２】
2008207058.tif 000004
【図３】
2008207058.tif 000005
【図４】
2008207058.tif 000006
【図５】
2008207058.tif 000007
【図６】
2008207058.tif 000008
【図７】
2008207058.tif 000009
【図８】
2008207058.tif 000010
【図９】
2008207058.tif 000011
【図１０】
2008207058.tif 000012
【図１１】
2008207058.tif 000013